(57)【特許請求の範囲】
【請求項１】
円弧状の装着面と、当該円弧方向に沿って形成されたガイド部と、が設けられた機器本体と、
前記機器本体の前記装着面と対向する側に前記装着面と略等しい曲率の円弧面と、前記ガイド部に摺動可能に係合する摺動部と、を備え、前記機器本体の装着面に沿って摺動可能に係着された入力手段と、
前記摺動可能な入力手段と前記機器本体とを係合させて前記入力手段の移動を不可とするロック機構と、
を備え、
前記ロック機構は、前記機器本体の装着面においてその円弧方向に延びるラック部と、前記入力手段の円弧面から突出して前記ラック部と噛み合う歯部を有するロック部材と、から構成され、
前記入力手段の端部に、前記ロック部材を動かして、前記ロック機構のロックの噛み合いとロックの解除とを切り換え操作するための駆動部材を前記ロック部材から延設してなることを特徴とする電子機器。
【請求項２】
前記機器本体の装着面と前記入力手段の円弧面との間に形成される隙間が、通常の使用状態において上部に位置する部分の隙間より下部に位置する部分の隙間が大きくなるように、前記機器本体に対して前記入力手段を対向配置させてなることを特徴とする請求項１記載の電子機器。
【発明の詳細な説明】
【０００１】
【発明の属する技術分野】
本発明は、例えば、表示機能を有する入力手段やキーボード式の入力手段を回動自在に装着しうる電子機器に関する。
【０００２】
【従来の技術】
従来より、店舗や鉄道の駅等においては、例えば液晶パネル等からなる表示部に対し、いわゆるタッチパネル方式によって入力を行いうる電子機器が設けられている。この種の電子機器においては、入力手段の画面の所定位置に指を触れることによって所定の情報を入力し、その情報をコンピュータで処理してプリントアウトするように構成されている。
【０００３】
一方、上記タッチパネル方式の入力手段の代わりにキーボード式の入力手段を用いた電子機器も従来より知られている。この種の電子機器においては、キーボードによって所定の情報を入力し、その情報をコンピュータで処理してプリントアウトするように構成されている。
【０００４】
従来、このような電子機器は、その設置場所の用途や目的等に応じて適当なものが採用されている。
【０００５】
【発明が解決しようとする課題】
ところで、このような電子機器においては、その設置場所の環境や条件に応じて入力手段の入力部の角度を変える必要がある場合がある。また、入力部の角度を可変にできれば、装置としての汎用性を拡げることができる。
【０００６】
しかしながら、入力部の角度を変えることは比較的容易であるが、この種の電子機器の場合は入力の際に力が加わるため入力部をしっかりと固定する必要があり、そのため、従来のものにおいては構成が複雑になるという問題があった。
【０００７】
また、入力手段の角度を可変とした場合には、機器本体との間に隙間ができるが、従来のものにおいては、機器本体との間の隙間に小さな物が入り込んでしまう場合もあり、その場合には、これを外部に取り出すのが面倒であるという問題もあった。
【０００８】
本発明は、このような従来の技術の課題を解決するためになされたもので、簡単な構成で入力手段を所望の角度に確実に固定しうる電子機器を提供することを目的とする。
【０００９】
また、本発明は、入力手段と機器本体との間に小さな物が入り込みにくく、また、仮に入った場合であっても容易に取り出しうる電子機器を提供することを目的とする。
【００１０】
【課題を解決するための手段】
本発明の電子機器は、
円弧状の装着面と、当該円弧方向に沿って形成されたガイド部と、が設けられた機器本体と、
前記機器本体の前記装着面と対向する側に前記装着面と略等しい曲率の円弧面と、前記ガイド部に摺動可能に係合する摺動部と、を備え、前記機器本体の装着面に沿って摺動可能に係着された入力手段と、
前記摺動可能な入力手段と前記機器本体とを係合させて前記入力手段の移動を不可とするロック機構と、
を備え、
前記ロック機構は、前記機器本体の装着面においてその円弧方向に延びるラック部と、前記入力手段の円弧面から突出して前記ラック部と噛み合う歯部を有するロック部材と、から構成され、
前記入力手段の端部に、前記ロック部材を動かして、前記ロック機構のロックの噛み合いとロックの解除とを切り換え操作するための駆動部材を前記ロック部材から延設してなることを特徴とする。
【００１２】
この場合、機器本体の装着面と入力手段の円弧面とは嵌合可能で略等しい曲率を有しているため、機器本体の装着面に当接することよって入力手段の回動が妨げられてしまうことはない。
【００１３】
そして、入力手段の摺動方向と交差する方向へロック部材を突出させて入力手段と機器本体とを係止することにより入力手段の位置決め固定を行うことから、簡単な構成で確実に入力手段を所定の位置にロックすることができる。
【００１５】
ラック部とロック部材との噛み合いによって、容易に入力手段を任意の角度に位置決め固定することができ、また、入力手段の角度の変更も容易に行うことができる。
【００１６】
また、前記機器本体の装着面と前記入力手段の円弧面との間に形成される隙間が、通常の使用状態において上部に位置する部分の隙間より下部に位置する部分の隙間が大きくなるように、前記機器本体に対して前記入力手段を対向配置させてなることを特徴とする。
【００１７】
この構成によれば、機器本体の装着面と入力手段の円弧面との間に形成される隙間に対して上方から小さな物が入り込みにくく、また、万一小さな物がこの隙間に入り込んだ場合であっても、下方から取り出しやすい。
【００１８】
【発明の実施の形態】
以下、本発明に係る電子機器の好ましい実施の形態を図面を参照して詳細に説明する。
【００１９】
図１は、本実施の形態に係る電子機器１の全体構成を示すものであり、図２は、同電子機器１の機器本体２の外観を示すものであり、図３は、同電子機器１の機器本体２の断面構成を示すものである。
【００２０】
また、図４は、本実施の形態に係る電子機器１の入力手段３の例を示すものであり、図４（ａ）はキーボード式の入力手段３Ａ、図４（ｂ）はタッチパネル式の入力手段３Ｂである。
【００２１】
図１に示すように、本実施の形態の電子機器１は、例えば樹脂からなる機器本体２と、機器本体２の前方上部に設けられる入力手段３とから構成される。
【００２２】
図２に示すように、機器本体２には、その前方上部に円弧状の面を有する装着面２ａが形成されている。そして、この装着面２ａ上の両側部に、入力手段３を装着面２ａに沿って案内するためのガイド部４が設けられている。
【００２３】
ガイド部４は、装着面２ａの中央側に位置するフランジ付の内側ガイドレール４ａと、装着面２ａの両側部側に位置する外側ガイドレール４ｂとから構成される。各ガイド部４の内側ガイドレール４ａと外側ガイドレール４ｂは、それぞれ装着面２ａの湾曲（円弧）方向に向って平行に延びるように形成されている。
【００２４】
ここで、図３に示すように、内側ガイドレール４ａの下端部４０は、閉止されるようになっている。
【００２５】
一方、装着面２ａの中央部には、装着面２ａの湾曲方向に延びるように位置決め部５が設けられている。図３に示すように、この位置決め部５は、装着面２ａの表面から突出しないようにラック状の多数の歯部５ａが形成されているもので、後述するロック機構７を構成するものでである。
【００２６】
なお、位置決め部５の近傍には、入力手段３を補助的に係止するための係止部材６が設けられている。
【００２７】
図４（ａ）及び図４（ｂ）に示すように、本実施の形態においては、２種類の入力手段３が用いられ、後述するようにこれらが交換可能となるように構成されている。
【００２８】
ここで、図４（ａ）に示すキーボード式の入力手段３Ａと、図４（ｂ）に示すタッチパネル式の入力手段３Ｂは、ともに同一の構成を有する本体部３０と、異なる入力機能を有する入力部３１（３１Ａ、３１Ｂ）とから構成される。
【００２９】
各本体部３０には、機器本体２の装着面２ａと嵌合可能で略同一の曲率を有する底面（円弧面）３２が形成されている。そして、図４（ａ）に示す入力手段３Ａにおいては、入力部３１Ａにキーボード３３が設けられ、図４（ｂ）に示す入力手段３Ｂにおいては、入力部３１Ｂにタッチパネル式の入力機能を有する表示入力部３４が設けられている。
【００３０】
図４（ａ）に示すように、キーボード式の入力手段３Ａの場合は、キーボード３３が、本体部３０の上面３０ａに対し、底面３２の湾曲方向に所定の角度だけ傾斜するように配列されている。
【００３１】
すなわち、図１及び図４（ａ）に示すように、本実施の形態においては、入力部３１Ａに、機器本体２に装着する際上側に位置する上端部分３１ａに向って深くなるような凹部３１ｂが形成され、これにより上端部分３１ａに向ってキーボード３３が低くなるように構成されている。
【００３２】
一方、図４（ｂ）に示すように、タッチパネル式の入力手段３Ｂの場合は、本体部３０の上面３０ａに対して平行となるように表示入力部３４が設けられる。
【００３３】
図５は、入力手段３の本体部３０の内部構成を示す縦断面図、図６は、入力手段３の本体部３０の内部構成を示す横断面図、図７は、入力手段３の本体部３０の内部構成を示す平面図である。また、図８は、ロック機構７の要部を示すものである。
【００３４】
図６に示すように、入力手段３の本体部３０の底面３２には、機器本体２のガイド部４と係合するガイド溝３２ａが形成されている。そして、ガイド溝３２ａの両側には、一対のガイド部材３５、３６によってガイド溝３７が形成され、これらのガイド溝３７が機器本体２のガイドレール４ｂと係合するように構成されている。
【００３５】
一方、入力手段３の本体部３０の内部には、入力手段３を機器本体２に固定するためのロック機構７が設けられている。このロック機構７は、本体部３０の底部３００に立設された支軸８を中心として本体部３０の上面３０ａと平行方向に回動自在に支持される駆動レバー９を有している。この駆動レバー９は、その一方の端部９ａにピニオン部９ｂが形成され、このピニオン部９ｂが本体部３０の上面３０ａの一辺３０１に設けた駆動部材１０のラック部１０ａと噛み合うように構成されている。
【００３６】
図７及び８に示すように、駆動部材１０は、本体部３０の一辺３０１と平行に延びるガイド部材１１に係合され、駆動部材１０に設けた把持部１０ｂを指でつまんで動かすことによりガイド部材１１に沿って矢印Ａ又はＢ方向に移動するように構成されている。
【００３７】
一方、駆動レバー９の他方の端部には、略扇形状の駆動部９ｃが設けられている。図８に示すように、この駆動部９ｃには、円弧状の長孔９ｄが形成されている。また、駆動部９ｃの先端の円弧部分９ｅは、円弧に沿って厚みが異なるように肉厚部９ｆと肉薄部９ｇが形成され、さらに、その本体部３０側の面において、その肉厚部９ｆと肉薄部９ｇとの間に傾斜部９ｈが形成されている。
【００３８】
駆動レバー９の駆動部９ｃの先端の円弧部分９ｅと本体部３０の底部３００との間には、入力手段３の本体部３０を固定するためのロック部材１２が配置される。このロック部材１２は、その下側部分に、機器本体２の装着面２ａに設けた位置決め部５の歯部５ａと噛み合う歯部１２ａが形成される。また、ロック部材１２には、その歯部１２ａの方向に折り曲げられた一対のアーム状の板ばね１３が固定されている。
【００３９】
そして、図６に示すように、このロック部材１２は、板ばね１３によって本体部３０の底部３００の支持部３００ａに支持され、本体部３０の底部３００に形成された孔部３００ｂに歯部１２ａが挿入されるようになっている。
【００４０】
この場合、ロック部材１２は板ばね１３の弾性力によって駆動レバー９の駆動部９ｃに付勢され、ロック部材１２の頭部１２ｂが駆動部９ｃの肉薄部９ｇに当接した状態においてロック部材１２の歯部１２ａが本体部３０の底面３２から突出しないように構成される。さらに、駆動レバー９の駆動部９ｃの先端の円弧部分９ｅは、本体部３０の底部３００に固定される略コ字状の支持部材１４によって支持されるようになっている。
【００４１】
このような構成を有する本実施の形態において、入力手段３を機器本体２に装着する場合には、入力手段３の本体部３０の底部３００に設けたガイド溝３２ａ、３７と、機器本体２の装着面２ａに設けた内側及び外側ガイドレール４ａ、４ｂとを機器本体２の上方から係合し、入力手段３をガイド部４に沿って下方にスライドさせる。この状態においては、図６及び図８に示すように、駆動レバー９の駆動部９ｃの肉薄部９ｇとロック部材１２の頭部１２ｂとを当接させておき、入力手段３の本体部３０の底面３２からロック部材１２の歯部１２ａが突出しないようにしておく。
【００４２】
そして、入力手段３の入力部３１の角度が所定の角度となった位置において、図８に示すように、駆動部材１０を矢印Ｂ方向に移動させ、駆動レバー９を時計回り方向へ回転させる。その結果、駆動レバー９の駆動部９ｃの肉厚部９ｆがカムとして働くため、ロック部材１２は、図８に示す位置から下方（矢印Ｃ方向）に押し下げられ、図６及び図７に示すように、本体部３０の底面３２からロック部材１２の歯部１２ａが突出して機器本体２の位置決め部５の歯部５ａと噛み合い、これにより図１の実線で示すように、入力手段３の入力部３１が所定の角度で位置決め固定される。
【００４３】
これにより、例えば、入力手段３として図５に示すタッチパネル式の入力手段３Ｂを用いた場合に、良好な表示状態を得ることができる。
【００４４】
さらに、入力手段３の角度を変える場合には、上記動作とは反対に駆動部材１０を図８の矢印Ａ方向に移動させて駆動レバー９を反時計回り方向へ回転させる。その結果、板ばね１３の付勢力によってロック部材１２が上方（矢印Ｄ方向）に引き上げられるので、ロック部材１２の歯部１２ａと機器本体２の位置決め部５の歯部５ａとの噛み合いが解除され、上述した状態に復帰する。そして、入力手段３の本体部３０を機器本体４のガイド部４に沿ってスライドさせ、再び駆動部材１０を操作してロック部材１２と機器本体２の位置決め部５とを噛み合わせればよい。これにより、例えば図１の点線で示されるように、入力部３１を寝かせた状態で入力手段３を固定することが可能になる。
【００４５】
なお、本実施の形態の場合、機器本体２の装着面２ａに設けた外側ガイドレール４ａの下端部４０は閉止されており、入力手段３を下方に押し下げた場合には、入力手段３のガイド溝３２ａの端部がこの外側ガイドレール４ａの下端部４０に当接するので、入力手段３と機器本体２との係合が外れてしまうことはない。
【００４６】
そして、その状態では、例えば図１の点線で示すように、入力手段３の入力部３１が若干前方側に傾斜した状態となる。この場合、入力手段３が図４に示すキーボード式の入力手段３Ａである場合には、上述したようにキーボード３３が前方側へ傾斜するように配列されているため、キーボード３３をほぼ水平にして打ちやすい状態にすることができる。
【００４７】
ところで、本実施の形態においては、機器本体２のガイド部４の形状を調整することによって、図１に示すように、機器本体２の装着面２ａと入力手段３の円弧面３２との間に形成される隙間が、上部に位置する部分の隙間ｐより下部に位置する部分の隙間Ｐが大きくなるように、入力手段３が機器本体２に対して対向配置されている。
【００４８】
このような構成により、本実施の形態においては、機器本体２の装着面２ａと入力手段３の円弧面３２との間に形成される隙間に対して上方から小さな物が入り込みにくく、また、万一小さな物がこの隙間に入り込んだ場合であっても、下方から取り出しやすいようになっている。
【００４９】
なお、入力手段３を機器本体２から取り外す場合には、入力手段３の角度を変える場合と同様に駆動部材１０を操作してロック部材１２と機器本体２の位置決め部５との噛み合いを解除すればよい。そして、入力手段３をガイド部４に沿って上方に引き上げれば、容易に入力手段３を機器本体２から取り外すことができる。
【００５０】
以上述べたように本実施の形態によれば、入力手段３が機器本体２の装着面２ａに設けられたガイド部４に沿って案内され、機器本体２に対して回動可能となるので、入力手段３の入力部３１の角度を任意に変えることができる。
【００５１】
この場合、機器本体２の装着面２ａと入力手段３の円弧面３２とは嵌合可能で略等しい曲率を有しているため、機器本体２の装着面２ａに当接して入力手段３の回動が妨げられることはなく、円滑に入力手段３を回動させることができる。
【００５２】
そして、入力手段３の本体部３０の底面３２からロック部材１２の歯部１２ａが突出させて機器本体２の位置決め部５の歯部５ａと噛み合わせることによって入力手段３の位置決め固定を行うことから、簡単な構成で確実に入力手段３の角度の設定を行うことができ、また、入力手段３の角度の変更も容易である。
【００５３】
さらに、本実施の形態においては、機器本体２の装着面２ａと入力手段３の底面３２との間に形成される隙間に対して上方から小さな物が入り込みにくく、また、万一小さな物がこの隙間に入り込んだ場合であっても、下方から取り出しやすいので、取扱い勝手が良いというメリットもある。
【００５４】
なお、本発明は上述の実施の形態に限られることなく、種々の変更を行うことができる。
【００５５】
例えば、上述の実施の形態においては、機器本体２の装着面２ａにガイドレール４ａ、４ｂを設け、入力手段３の本体部３０の底面３２にガイド溝３２ａ、３７を設けるようにしたが、本発明はこれに限られず、入力手段３側にガイドレールを設け、機器本体２側にガイド溝を設けるように構成することもできる。ただし、機器本体２の装着面２ａと入力手段３の本体部３０の底面３２との間隔を一定値以上となるように構成する必要がある。
【００５６】
また、上述の実施の形態においては、機器本体２側にラック状の位置決め部５を設け、入力手段３の本体部３０の底面３００からロック部材１２を突出させるようにしたが、逆に、入力手段３側にラック状の位置決め部５を設け、機器本体２の装着面２ａからロック部材１２を突出させるように構成することもできる。
【００５７】
さらに、本発明は、表示機能を有する接触式入力手段と、キーボード式入力手段のみならず、その他の入力手段にも適用することができる。ただし、上述の実施の形態のように、表示機能を有する接触式入力手段と、キーボード式の入力手段を装着する場合に特に有効なものである。
【００５８】
【発明の効果】
以上述べたように本発明によれば、簡単な構成で、回動可能な入力手段を所望の角度に確実に固定することができる。
【００５９】
また、本発明によれば、入力手段と機器本体との間に小さな物が入り込みにくく、また、仮に入った場合であっても容易に取り出しうるので、使い勝手を向上させることができる。
【図面の簡単な説明】
【図１】本発明に係る電子機器の好ましい実施の形態の全体を示す概略構成図である。
【図２】同実施の形態の機器本体の外観を示す平面図である。
【図３】同実施の形態の機器本体の断面を示す概略構成図である。
【図４】同実施の形態に係る電子機器の入力手段の例を示すものであり、図４（ａ）はキーボード式の入力手段、図４（ｂ）はタッチパネル式の入力手段を示すものである。
【図５】同実施の形態の入力手段の本体部の内部構成を示す縦断面図である。
【図６】同実施の形態の入力手段の本体部の内部構成を示す横断面図である。
【図７】同実施の形態の入力手段の本体部の内部構成を示す平面図である。
【図８】同実施の形態のロック機構の要部を示す斜視図である。
【符号の説明】
１    電子機器
２    機器本体
３    入力手段
３Ａ  キーボード式の入力手段
３Ｂ  タッチパネル式の入力手段
４    ガイド部
４ａ、４ｂ  ガイドレール
５    位置決め部
５ａ  歯部
７    ロック機構
９    駆動レバー
９ｂ  歯部
９ｃ  駆動部
９ｅ  円弧部分
９ｆ  肉厚部
９ｇ  肉薄部
１０    駆動部材
１０ａ  歯部
１２    ロック部材
１２ａ  歯部
１２ｂ  頭部
１３    板ばね
１４    支持部材
３０    本体部
３０ａ  上面
３１（３１Ａ、３１Ｂ）  入力部
３１ａ  上端部分
３１ｂ  凹部
３２    底面
３２ａ  ガイド溝
３３    キーボード
３４    表示入力部
３５、３６  ガイド部材
３７    ガイド溝
３００  底部
３００ｂ  孔部
３０１  縁部
【図１】
0003666175.tif 000002
【図２】
0003666175.tif 000003
【図３】
0003666175.tif 000004
【図４】
0003666175.tif 000005
【図５】
0003666175.tif 000006
【図６】
0003666175.tif 000007
【図７】
0003666175.tif 000008
【図８】
0003666175.tif 000009